(57)【要約】【課題】本発明は、鞍乗り型車両の車体フレームのコストを削減することができる技術を提供することを課題とする。【解決手段】自動二輪車１０の車体フレーム１１は、ヘッドパイプ２１から後方へ延びるメインフレーム４３と、メインフレーム４３から後方へ延びるシートレール４４とを備える。メインフレーム４３は、車両後方へ延びた後に屈曲部５１を介して下方へ延ばされ、この下方へ延びる部位がスイングアーム３３の前端を支えるピボット部３１とされる。シートレール４４は、左右のガセット部材５２Ｌ、５２Ｒを介して屈曲部５１に連結され、左右のガセット部材５２Ｌ、５２Ｒに、車幅方向へ延びるクロスメンバ５３が渡され、クロスメンバ５３とスイングアーム３３とにリヤサスペンション６１が渡される。【選択図】図３
2014162425.tif 000002
【特許請求の範囲】
【請求項１】
ヘッドパイプ（２１）と、このヘッドパイプ（２１）から車両後方へ延びるメインフレーム（４３Ｌ、４３Ｒ）と、このメインフレーム（４３Ｌ、４３Ｒ）から車両後方へ延びてシート（１９）を支えるシートレール（４４Ｌ、４４Ｒ）とを備える鞍乗り型車両の車体フレームにおいて、
前記メインフレーム（４３Ｌ、４３Ｒ）は、パイプ部材からなり、このパイプ部材は、前記車両後方へ延びた後に屈曲部（５１Ｌ、５１Ｒ）を介して下方へ延ばされ、この下方へ延びる部位がスイングアーム（３３）の前端を支えるピボット部（３１Ｌ、３１Ｒ）とされ、
前記シートレール（４４Ｌ、４４Ｒ）は、左右のガセット部材（５２Ｌ、５２Ｒ）を介して前記屈曲部（５１Ｌ、５１Ｒ）に連結され、
前記左右のガセット部材（５２Ｌ、５２Ｒ）に、車幅方向へ延びるクロスメンバ（５３）が渡され、
このクロスメンバ（５３）と前記スイングアーム（３３）とにリヤサスペンション（３４）が渡されていることを特徴とする鞍乗り型車両の車体フレーム。
【請求項２】
前記シートレール（４４Ｌ、４４Ｒ）は、上又は下に曲がる第１曲部（９１Ｌ、９１Ｒ）を有することを特徴とする請求項１記載の鞍乗り型車両の車体フレーム。
【請求項３】
前記ガセット部材（５２Ｌ、５２Ｒ）が前記メインフレーム（４３Ｌ、４３Ｒ）に当接する部分のうち、前記ガセット部材（５２Ｌ、５２Ｒ）と前記メインフレーム（４３Ｌ、４３Ｒ）の間に、前記ガセット部材（５２Ｌ、５２Ｒ）が前記メインフレーム（４３Ｌ、４３Ｒ）に溶接される溶接部（１２４Ｌ、１２４Ｒ）と、溶接されない非溶接部（１２３Ｌ、１２３Ｒ）とを有することを特徴とする請求項１又は請求項２記載の鞍乗り型車両の車体フレーム。
【請求項４】
前記シートレール（４４Ｌ、４４Ｒ）は、前記第１曲部（９１Ｌ、９１Ｒ）の曲げ方向とは異なる上又は下向きに曲がる第２曲部（９２Ｌ、９２Ｒ）を有することを特徴とする請求項２記載の鞍乗り型車両の車体フレーム。
【請求項５】
前記シートレール（４４Ｌ、４４Ｒ）は、左のシートレール（４４Ｌ、４４Ｒ）と右のシートレール（４４Ｌ、４４Ｒ）とからなり、
前記左右のシートレール（４４Ｌ、４４Ｒ）は、各々、左右の第１曲部（９１Ｌ、９１Ｒ）を有し、
前記左右の第１曲部（９１Ｌ、９１Ｒ）の間に、乗員が座るシート（１９）を受けるシート受部（９４）が渡されていることを特徴とする請求項２、請求項３又は請求項４記載の鞍乗り型車両の車体フレーム。
【請求項６】
前記車体フレーム（１１）は、更に、前記メインフレーム（４３Ｌ、４３Ｒ）の下方にて前記ヘッドパイプ（２１）から斜め後下方に延出するダウンフレーム（４６Ｌ、４６Ｒ）を有し、
このダウンフレーム（４６Ｌ、４６Ｒ）と前記ピボット部（３１Ｌ、３１Ｒ）とに、駆動源としてのエンジン（１７）が懸架されていることを特徴とする請求項５記載の鞍乗り型車両の車体フレーム。
【発明の詳細な説明】
【技術分野】
【０００１】
本発明は、鞍乗り型車両の車体フレームの改良に関する。
【背景技術】
【０００２】
メインフレームの端部に、後輪を揺動自在に支える後輪懸架部を支持するピボット部が溶接されている鞍乗り型車両が知られている（例えば、特許文献１（第１図、第２図）参照。）。
【０００３】
特許文献１の第１図及び第２図に示すように、車両後方斜め下へ延びるメインフレーム（１）（括弧付き数字は、特許文献１記載の符号を示す。要素名は一部変更した。以下同じ。）の後端に、ピボット部となるピボットフレーム（２）が溶接され、このピボットフレーム（２）の上端から左右のシートレール（３、３）が延設され、左右のシートレール（３、３）の間にクロスメンバ（１１）が渡される。
【０００４】
特許文献１の鞍乗り型車両では、メインフレームとピボットフレームとは、別部材であって、溶接で連結されるため、部品点数が増加する。加えて、連結に係る加工コストも嵩む。車体フレームのコストを削減する技術が求められている。
【先行技術文献】
【特許文献】
【０００５】
【特許文献１】実開平４−８１８９１号公報
【発明の概要】
【発明が解決しようとする課題】
【０００６】
本発明は、鞍乗り型車両の車体フレームのコストを削減することができる技術を提供することを課題とする。
【課題を解決するための手段】
【０００７】
請求項１に係る発明は、ヘッドパイプと、このヘッドパイプから車両後方へ延びるメインフレームと、このメインフレームから車両後方へ延びてシートを支えるシートレールとを備える鞍乗り型車両の車体フレームにおいて、メインフレームは、パイプ部材からなり、このパイプ部材は、車両後方へ延びた後に屈曲部を介して下方へ延ばされ、この下方へ延びる部位がスイングアームの前端を支えるピボット部とされ、シートレールは、左右のガセット部材を介して屈曲部に連結され、左右のガセット部材に、車幅方向へ延びるクロスメンバが渡され、このクロスメンバとスイングアームとにリヤサスペンションが渡されていることを特徴とする。
【０００８】
請求項２に係る発明では、シートレールは、上又は下に曲がる第１曲部を有することを特徴とする。
【０００９】
請求項３に係る発明は、ガセット部材がメインフレームに当接する部分のうち、ガセット部材とメインフレームの間に、ガセット部材がメインフレームに溶接される溶接部と、溶接されない非溶接部とを有する。
【００１０】
請求項４に係る発明では、シートレールは、第１曲部の曲げ方向とは異なる上又は下向きに曲がる第２曲部を有することを特徴とする。
【００１１】
請求項５に係る発明では、シートレールは、左のシートレールと右のシートレールとからなり、左右のシートレールは、各々、左右の第１曲部を有し、左右の第１曲部の間に、乗員が座るシートを受けるシート受部が渡されていることを特徴とする。
【００１２】
請求項６に係る発明では、車体フレームは、更に、メインフレームの下方にてヘッドパイプから斜め後下方に延出するダウンフレームを有し、このダウンフレームとピボット部とに、駆動源としてのエンジンが懸架されていることを特徴とする。
【発明の効果】
【００１３】
請求項１に係る発明では、メインフレームに、パイプ部材を屈曲することにより形成したピボット部が一体的に設けられている。ピボット部をメインフレームのパイプ材を曲げて一体形成したので、部品点数が削減できる。また、メインフレームとピボット部とを別体にし溶接で連結する場合に比べ、連結に係る加工コストを削減できる。
【００１４】
さらに、メインフレームの屈曲部に、左右のガセット部材が連結されるため、これらの左右のガセット部材によってメインフレームの屈曲部が補強される。結果、屈曲部の剛性が高まる。さらに、クロスメンバに隣接して屈曲部が配置されるため、クロスメンバによって、屈曲部の剛性を一層高めることができる。
【００１５】
請求項２に係る発明では、シートレールは、上又は下に曲がる第１曲部を有する。高さ方向上又は下に曲がる第１曲部を有するシートレールは、第１曲部で曲り易くなる。リヤサスペンションの入力がクロスメンバとガセット部材を介してシートレールに伝達されたときに、第１曲部を設けない場合に比べ、シートレールは、上下に撓み易くなる。結果、リヤサスペンションからの入力をシートレールで吸収させることが可能になる。
【００１６】
請求項３に係る発明では、ガセット部材とメインフレームの間には、非溶接部を有する。この非溶接部によって、ガセット部材とメインフレーム間の連結強度を低くできる。この連結強度を低くすることによって、リヤサスペンションから入力された荷重によって発生する振動をメインフレームに伝わり難くすることができる。結果、リヤサスペンションにから入力された荷重により発生する振動をメインフレームに伝わり難くできる。
【００１７】
請求項４に係る発明では、上又は下向きに曲がる第１曲部に加え、この第１曲部と異なる上又は下向きに曲がる第２曲部をシートレールに形成した。第１曲部に加えて設けた第２曲部によって、リヤサスペンションの入力がシートレールに伝達されたときに、シートレールは、上下に一層撓み易くなる。結果、リヤサスペンションからの振動をシートレールでさらに吸収させることが可能になる。
【００１８】
請求項５に係る発明では、左右の第１曲部の間にシート受部が渡されている。シート受部でシートを受けると共に、左右の第１曲部の間の補強を兼ねるようにしたので、部品点数の増加を抑えつつ、車体フレームの捩れ剛性を高めることができる。
【００１９】
請求項６に係る発明では、エンジンは、ピボット部とダウンフレームとに懸架されている。エンジンがメインフレームに懸架されていない場合には、エンジンの振動は、メインフレームに伝わり難い。エンジンがメインフレームに懸架されていないので、メインフレームにかかる荷重を減らすことができる。加えて、メインフレームにエンジンハンガは不要になるので、車体フレームを簡素化することができる。
【図面の簡単な説明】
【００２０】
【図１】本発明に係る自動二輪車の左側面図である。
【図２】図１の要部拡大図（カウル部材が取外された状態）である。
【図３】自動二輪車の要部平面図（エアクリーナが取外された状態）である。
【図４】車体フレームの平面図である。
【図５】クロスメンバ及びその周辺部の構造を説明する側面図である。
【図６】実施例及び比較例に係るシート受部の断面図である。
【図７】スイングアームがスイングしたときの作用説明図である。
【図８】実施例及び比較例に係るクロスメンバの構造と配置を説明する図である。
【図９】変形例に係るクロスメンバの構造等を説明する図である。
【図１０】比較例及び実施例に係るシートレールの構造図及び作用説明図である。
【図１１】実施例及び比較例に係るエンジンのマウント構造を説明する図である。
【発明を実施するための形態】
【００２１】
以下、本発明の実施の形態について、詳細に説明する。図中及び実施例において、「上」、「下」、「前」、「後」、「左」、「右」は、各々、自動二輪車に乗車する運転者から見た方向を示す。
【実施例】
【００２２】
本発明の実施例を図面に基づいて説明する。
図１に示すように、自動二輪車１０は、車体フレーム１１と、この車体フレーム１１の前部に設けられ前輪１３を操向自在に支持する前輪操舵部１５と、車体フレーム１１の長手方向中間部で高さ方向下部から車両後方へ延びるように設けられ後輪１４を揺動自在に支持する後輪懸架装置１６と、前輪１３と後輪１４の間に設けられ車体フレーム１１に懸架される駆動源としてのエンジン１７と、このエンジン１７の上方にて車体フレーム１１に取付けられる燃料タンク１８と、この燃料タンク１８の後方に配置されると共に車体フレーム１１に取付けられ乗員が座るシート１９とを主要素とし、このシート１９に乗員が跨って乗車する形態の鞍乗り型車両である。
【００２３】
前輪操舵部１５は、車体フレーム１１の前端に設けたヘッドパイプ２１に挿嵌されるステアリング軸２２と、このステアリング軸２２の上端に取付けられるハンドル２３と、ステアリング軸２２と一体に設けられ車両斜め前下方へ延びるフロントフォーク２４と、このフロントフォーク２４の下端に取付けられる前輪１３とを主要素とする。前輪１３の上部を覆うようにして、フロントフォーク２４に、フロントフェンダ２５が取付けられている。
【００２４】
後輪懸架装置１６は、車体フレーム１１のピボット部３１に設けたピボット軸３２から後方に延設されるスイングアーム３３と、このスイングアーム３３の後端３３ｂに取付けられる後輪１４と、スイングアーム３３と車体フレーム１１の間に渡されるリヤサスペンションユニット３４とを主要素とする。ピボット部３１の下端に、サイドスタンド３５が取付けられている。
【００２５】
前輪操舵部１５の上部には、フロントカウル３６及びこのフロントカウル３６に囲まれ車両前方に臨むヘッドライト４１が取付けられ、このフロントカウル３６の後方にて車体フレーム１１に、車体の側方を覆うサイドカウル３７、３８、３９が前から後にこの順に取付けられている。
【００２６】
図２に示すように、車体フレーム１１は、ヘッドパイプ２１と、このヘッドパイプ２１から車両後方へ延びるメインフレーム４３と、このメインフレーム４３から車両後方へ延びてシート１９を支えるシートレール４４（シートフレーム４４とも言う。）と、このシートレール４４とメインフレーム４３の間に渡されるサポートフレーム４５と、メインフレーム４３の下方にてヘッドパイプ２１から斜め後下方に延出するダウンフレーム４６と、このダウンフレーム４６とメインフレーム４３の間に渡される補強部材４７、４８とを備えている。
【００２７】
メインフレーム４３は、パイプ部材からなり、このパイプ部材は、車両後方へ延びた後に屈曲部５１を介して下方へ延ばされ、この下方へ延びる部位がスイングアーム３３の前端を支えるピボット部３１とされる。
【００２８】
屈曲部５１に、車両側面視で略三角形状を呈するガセット部材５２が溶接され、このガセット部材５２から車両後方へシートレール４４が延びている。ガセット部材５２に、車幅方向に延びるクロスメンバ５３が取付けられる。
【００２９】
クロスメンバ５３に、リヤサスペンション６１の一端６２を支えるサスペンション支持部６４が設けられ、このサスペンション支持部６４に、リヤサスペンション６１の一端６２が連結され、リヤサスペンション６１の他端６３に、後輪１４を揺動可能に支持するスイングアーム３３が連結されている。スイングアーム３３とクロスメンバ５３とに、後輪１４にかかる衝撃を吸収するリヤサスペンション６１が渡されている。
【００３０】
次にエンジンの構成等について説明する。
エンジン１７は、クランクケース７１とこのクランクケース７１の上面７１ａに取付けられるシリンダ部７２とを備え、このシリンダ部７２の後壁７４に吸気系７７を構成するコネクテイングチューブ１０４が接続され、シリンダ部７２の前壁７３から排気系７６を構成する排気管１０６が延びている。エンジン１７は、ダウンフレーム４６とピボット部３１とに懸架されている。エンジン１７の懸架構造の詳細については後述する。
【００３１】
クランクケース７１の後部８１にドライブ軸８２が設けられ、ドライブ軸８２にドライブギヤ８３が取付けられ、後輪１４にスプロケット８４が取付けられ、このスプロケット８４とドライブギヤ８３の間に駆動チェーン８５が巻き掛けられ、エンジン１７の駆動力が後輪１４に伝達される。ドライブ軸８２の下方にてクランクケース７１の後部８１に、シフトチェンジのためのシフト軸８６が延びており、このシフト軸８６にリンク機構８７を介してチェンジペダル８８が連結される。
【００３２】
次にシートレールの構造等について説明する。
連結部としてのガセット部材５２に連結され車両後方へ延びているシートレール４４は、上向きに曲がる第１曲部９１を有し、この第１曲部９１の車両後方位置に、第１曲部９１の曲げ方向とは異なる下向きに曲がる第２曲部９２を有する。なお、第１曲部を下向きに曲げ、第２曲部を上向きに曲げることは差し支えない。
【００３３】
次に、メインフレーム４３、ガセット部材５２、シートレール４４及びサポートフレーム４５が車幅方向左右に設けられている点等を説明する。
図３に示すように、メインフレーム４３は、車幅方向左側に設けられる左のメインフレーム４３Ｌと、車幅方向右側に設けられる右のメインフレーム４３Ｒを有する。これらの左右のメインフレーム４３Ｌ、４３Ｒの屈曲部５１Ｌ、５１Ｒに、各々、左右のガセット部材５２Ｌ、５２Ｒが接合され、これらの左右のガセット部材５２Ｌ、５２Ｒから左右のシートレール４４Ｌ、４４Ｒが車両後方へ延びている。すなわち、シートレール４４Ｌ、４４Ｒは、左右のガセット部材５２Ｌ、５２Ｒを介して屈曲部５１Ｌ、５１Ｒに連結される。左右のガセット部材５２Ｌ、５２Ｒに、車幅方向へ延びるクロスメンバ５３が渡されている。左右の屈曲部５１Ｌ、５１Ｒには、左右のガセット部材５２Ｌ、５２Ｒを介して左右のシートレール４４Ｌ、４４Ｒが連結されている。
【００３４】
これに加えて、左右のシートレール４４Ｌ、４４Ｒの間に、シート１９（図２参照）を受けるシート受部９４と、このシート受部９４の後方にリヤクロスプレート９５が渡されている。
【００３５】
次に、エンジン１７の吸気系について説明する。
図２を併せて参照し、吸気系７７は、エアクリーナ１０１と、このエアクリーナ１０１から車両前方に延びる吸気ダクト１０２と、この吸気ダクト１０２の車両前方で、吸気ダクト１０２の先が接続されるスロットルボデイ１０３と、このスロットルボデイ１０３から車両前方に延びシリンダ部７２の後壁７４に接続されるコネクテイングチューブ１０４とを主要素とする。
【００３６】
エンジン１７へ吸入空気を供給する吸気通路１０５の一要素である吸気ダクト１０２は、クロスメンバ５３の後方から前方に渡って、クロスメンバ５３の上方に配置される。吸気ダクト１０２には、レゾネータ１０９が連結される。
【００３７】
排気系７６は、シリンダ部７２の前壁７３から前斜め下方へ延びた後、向きを変え、クランクケース７１の下方で車両後方へ延びている排気管１０６と、この排気管１０６の先に連結され車両後方に延びる消音器１０７とからなる。
【００３８】
ピボット部３１Ｌ、３１Ｒに、車幅方向左右に突設され乗員が足を載せるステップ１１６Ｌ、１１６Ｒが設けられている。右のステップ１１６Ｒの車両前方には、ブレーキペダル１１７が配置される。
【００３９】
図４に示すように、車体フレーム１１は、ヘッドパイプ２１と、このヘッドパイプ２１に取付けられる左右一対のフレーム１１０Ｌ、１１０Ｒと、これらの左右一対のフレーム１１０Ｌ、１１０Ｒを連結するクロスメンバ５３とから構成されるとも言える。
【００４０】
この場合に、左右一対のフレーム１１０Ｌ、１１０Ｒは、ヘッドパイプ２１から車幅方向左右に拡がりつつ後方へ延びる左右のメインフレーム４３Ｌ、４３Ｒと、これらの左右のメインフレーム４３Ｌ、４３Ｒから車幅方向外方に拡がりつつ下方に延出しスイングアーム３３（図３参照）を支持する左右のピボットフレーム（左右のピボット部３１Ｌ、３１Ｒ）とを備えている。
【００４１】
ここで、クロスメンバ５３の車幅方向に延びる軸方向長さ（Ｌ１）は、左右のピボット部３１Ｌ、３１Ｒの間の距離（Ｌ２）よりも幅狭にした（Ｌ１＜Ｌ２）。クロスメンバ５３の軸方向長さ（Ｌ１）を左右のピボット部３１Ｌ、３１Ｒ間の距離（Ｌ２）よりも短くしたので、短くした分だけ、クロスメンバ５３の撓みを小さく抑えることができる。
【００４２】
図２にて、クロスメンバ５３の下面５４に沿って、左右のメインフレーム４３Ｌ、４３Ｒの間に燃料フィルタ５５が配置されている。この燃料フィルタ５５は、燃料タンク１８とスロットルボデイ１０３の間をつなぐ図示せぬ配管の途中に介在される２次燃料フィルタである。燃料フィルタ５５を、デッドスペースとなり易いクロスメンバ５３の下方のスペースに配置したので、自動二輪車における限られたスペースを有効に活用することができる。
【００４３】
次に、シートレール４４とメインフレーム４３の間を連結する連結部１１３としてのガセット部材５２及びその周辺部の構造等について説明する
図５に示すように、メインフレーム４３を構成する断面円形筒状のパイプ部材１１２は、下向きに屈曲する屈曲部５１と、この屈曲部５１から下方に延出するピボット部３１とを有する。屈曲部５１には、シートレール４４が連結されるガセット部材５２が溶接される。
【００４４】
図４を併せて参照し、連結部１１３は、左右のガセット部材５２Ｌ、５２Ｒで構成され、これらの左右のガセット部材５２Ｌ、５２Ｒに、メインフレーム４３Ｌ、４３Ｒとシートレール４４Ｌ、４４Ｒとが各々連結される。左右のガセット部材５２Ｌ、５２Ｒは、車幅方向に延びるクロスメンバ５３で連結され、このクロスメンバ５３から別部材となるサスペンション支持部６４が斜め後下方へ延設され、このサスペンション支持部６４にリヤサスペンション６１の上端（一端６２）が連結されている。サスペンション支持部６４は、クロスメンバ５３に連結されるブラケット１１４である。
【００４５】
図５にて、クロスメンバ５３は、断面が直径Ｄ１の長径１２６と、この長径１２６より短い直径Ｄ２をもつ短径１２５を有する非円形のパイプからなる。本実施例では、クロスメンバ５３は、断面長円形のパイプ部材である。短径１２５を通る線を短径軸１２１とし、この短径軸１２１に直角に延びて長径１２６を通る線を長径軸１２２とするとき、リヤサスペンションの軸線Ａは、クロスメンバの短径軸１２１と図点Ｐで交差している。クロスメンバ５３は、その長径軸１２２が略水平になる向きに配置されている。
【００４６】
ガセット部材５２がメインフレーム４３に当接する部分のうち、ガセット部材５２とメインフレーム４３の間に、ガセット部材５２がメインフレーム４３に溶接される溶接部１２４と、ガセット部材５２がメインフレーム４３に溶接されない非溶接部１２３とが設けられている。
【００４７】
なお、クロスメンバ５３の中心５３Ｃと、リヤサスペンション６１の上端（一端６２）を通るリヤサスペンション６１の軸線Ａとは、リヤサスペンション６１が揺動する範囲で、距離δだけ離間している。クロスメンバ５３の中心５３Ｃとリヤサスペンション６１の軸線Ａとは、距離δで離間しているので、リヤサスペンション６１の上端に力を受けたときに、クロスメンバ５３には、クロスメンバ５３の中心５３Ｃ周りに捩りモーメントを受けることになる。
【００４８】
以上に述べた鞍乗り型車両の車体フレームの作用を次に述べる。
図４及び図５にて、メインフレーム４３Ｌ、４３Ｒに、パイプ部材を屈曲することにより形成したピボット部３１Ｌ、３１Ｒが一体的に設けられている。ピボット部３１Ｌ、３１Ｒをメインフレーム４３Ｌ、４３Ｒのパイプ材を曲げて形成したので、部品点数が削減できる。加えて、連結に係る加工コストを削減することができる。
【００４９】
また、メインフレーム４３Ｌ、４３Ｒの屈曲部５１Ｌ、５１Ｒに、左右のガセット部材５２Ｌ、５２Ｒが連結されるため、これらの左右のガセット部材５２Ｌ、５２Ｒによってメインフレーム４３Ｌ、４３Ｒの屈曲部５１Ｌ、５１Ｒが補強される。結果、屈曲部５１Ｌ、５１Ｒの剛性が高まる。さらに、クロスメンバ５３に隣接して屈曲部５１Ｌ、５１Ｒが配置される。クロスメンバ５３によって、屈曲部５１Ｌ、５１Ｒの剛性を一層高めることができる。
【００５０】
ガセット部材５２Ｌ、５２Ｒとメインフレーム４３Ｌ、４３Ｒの間に、非溶接部１２３Ｌ、１２３Ｒを設けた。この非溶接部１２３Ｌ、１２３Ｒによって、ガセット部材５２Ｌ、５２Ｒとメインフレーム４３Ｌ、４３Ｒ間の連結強度を低くすることができる。この連結強度を低くすることによって、リヤサスペンション６１から入力された荷重によって発生する振動をメインフレーム４３Ｌ、４３Ｒに伝わり難くすることができる。結果、車両振動を低減させることができる。
【００５１】
さらに、クロスメンバ５３の中心５３Ｃとリヤサスペンション６１の軸線Ａとは、距離δで離間している。このような場合に、クロスメンバ５３の断面を円断面の円管とし、短径の外径Ｄ２をもたせたとき、許容できる捩りモーメントが小さくなる可能性がある。これとは反対に、クロスメンバ５３の断面を円断面の円管とし、長径の外径Ｄ１をもたせると、許容できる捩りモーメントは大きくとれるが、クロスメンバ５３の重量増加を招く。
【００５２】
この点、本発明では、同じ捩れ剛性を発揮させるためにクロスメンバ５３の外径を大きくしたり、板厚を増加させる場合に比べ、クロスメンバ５３の外径の拡大や重量増加を抑えながらクロスメンバ５３の捩れ剛性を高められる。
【００５３】
次にシートを受けるシート受部の構造について説明する。図６（ａ）は実施例に係るシート受部の断面図であり、図６（ｂ）は比較例に係るシート受部の断面図である。
図６（ａ）の実施例において、シートレール４４は、左のシートレール４４Ｌと右のシートレール４４Ｒとからなり、左右のシートレール４４Ｌ、４４Ｒは、各々、左右の第１曲部９１Ｌ、９１Ｒを有する。左右の第１曲部９１Ｌ、９１Ｒにて左右のシートレール４４Ｌ、４４Ｒの間に、乗員が座るシート１９（図２参照）を受けるシート受部９４が渡されている。シート受部９４でシート１９を受けると共に、左右の第１曲部９１Ｌ、９１Ｒの間の補強を兼ねるようにしたので、部品点数の増加を抑えつつ、車体フレーム１１の捩れ剛性を高めることができる。
【００５４】
シート受部９４は、断面が下に開放されるコ字状を呈し、左右のシートレール４４Ｌ、４４Ｒの間に渡されている。一方で、図６（ｂ）の比較例において、シート受部９４Ｂは、断面が上に開放されるコ字状を呈し、左右のシートレール４４Ｌ、４４Ｒの間に渡されている。
【００５５】
同一材料で同一板厚の部材を前提とし、第１曲部９１の位置にシート受部９４が渡されている場合に、図６（ａ）と図６（ｂ）の構造を比較すると次のようになる。
図６（ｂ）のように、断面が上に開放されるコ字状を呈し、左右のシートレール４４Ｌ、４４Ｒの間に渡される構造に比べ、図６（ａ）の断面が下に開放されるコ字状を呈し、左右のシートレール４４Ｌ、４４Ｒの間に渡される構造は、左右のシートレール４４Ｌ、４４Ｒに異なる大きさの力が掛かったときに、第１曲部９１Ｌ、９１Ｒに撓みの発生を許容し易い。従って、シート受部９４の材料及び板厚等を適切に設定することで、車体フレーム１１に、第１曲部９１Ｌ、９１Ｒで撓み特性をもたせつつ所定の捩れ剛性をもたせることが可能になる。
【００５６】
図６（ａ）にて、左右の第１曲部９１Ｌ、９１Ｒの間にシート受部９４が渡されている。シート受部９４で左右の第１曲部９１Ｌ、９１Ｒの間の補強を兼ねるようにしたので、第１曲部９１Ｌ、９１Ｒとシート受部９４とを別部材で構成する場合に比べ、部品点数の増加を抑えつつ、車体フレーム１１の捩れ剛性を高めることができる。
【００５７】
次に、スイングアーム３３が揺動したときの作用説明を行う。
図７（ａ）は、スイングアーム３３が、路面から衝撃を受け、ピボット軸３２を中心に図反時計回りに揺動したときの作用図であり、図７（ｂ）は、スイングアーム３３が、路面からの荷重が開放され、ピボット軸３２を中心に図時計回りに揺動したときの作用図である。
【００５８】
図７（ａ）において、後輪１４（図１参照）に上向きの力が掛かったとき、スイングアーム３３はピボット軸３２を中心に反時計回りの上方へ揺動する。このとき、リヤサスペンション６１は、軸方向に縮み上向きの力を吸収する。
【００５９】
静止状態時におけるリヤサスペンションの軸線Ａに対し、上向きの力が掛かり、サスペンションが収縮したときにおけるリヤサスペンションの軸線Ａａは、リヤサスペンション６１の上支点（上端）６２を軸に反時計回りに角度θａだけ移動する。このとき、リヤサスペンション６１の軸線Ａａは、車両側面視で、長円形のパイプ上又はパイプ内を通っている。
【００６０】
図７（ｂ）において、後輪１４に下向きの力が掛かったとき、スイングアーム３３は、ピボット軸３２を中心に時計回りの下方へ揺動する。このとき、リヤサスペンション６１は、軸方向に伸び下向きの力を吸収する。静止状態時におけるリヤサスペンションの軸線Ａに対し、下向きの力が掛かり、リヤサスペンション６１が伸びたときにおけるリヤサスペンションの軸線Ａｂは、リヤサスペンション６１の上端（一端６２）を軸に時計回りに角度θｂだけ移動する。このとき、図７（ａ）と同様に、リヤサスペンション６１の軸線Ａｂは、車両側面視で、長円形のパイプ上又はパイプ内を通っている。
【００６１】
次に、クロスメンバの断面形状及びその配置によって、クロスメンバの大きさ及びその重量を抑えることができることを説明する。
図８（ａ）は、実施例に係るクロスメンバの構造と配置を説明する図であり、図８（ｂ）は、比較例１に係るクロスメンバの構造と配置を説明する図であり、図８（ｃ）は、比較例２に係るクロスメンバの構造と配置を説明する図である。
【００６２】
図８（ｂ）の比較例１に示すように、従来、クロスメンバ５３Ｂが円形断面の場合に、リヤサスペンション６１から受ける耐荷重を高めるためには、クロスメンバ５３Ｂの外径を大きくして対応することが考えられる。すると、クロスメンバ５３Ｂの外径１２５Ｂ（外径Ｄｂ）が、実施例のクロスメンバ５３の短径１２５の外径Ｄ２に比べ大きくなる（Ｄ２＜Ｄｂ）ため、車体フレーム１１の重量増につながる可能性がある。加えて、クロスメンバ５３Ｂの高さが大きくなるおそれがある。
【００６３】
図８（ａ）の実施例に示すように、本発明では、クロスメンバ５３を非円形の断面長円パイプとし、且つ、クロスメンバ５３の短径軸１２１とリヤサスペンション６１の軸線Ａとが交差するようにクロスメンバ５３を配置した。すなわち、クロスメンバ５３の短径軸１２１とリヤサスペンション６１の軸線Ａとは非平行に配置した。
【００６４】
クロスメンバの短径軸１２１とクロスメンバの軸線Ａとが非平行になるようにクロスメンバ５３を配置したので、図８（ｂ）のように、クロスメンバ５３Ｂを円形断面の円管にする場合に比べて、クロスメンバ５３の大型化を抑えることができる。
【００６５】
従って、本発明によれば、同じ曲げ剛性を発揮させるためにクロスメンバ５３の外径を大きくしたり、板厚を増加させる場合に比べ、クロスメンバ５３の外径の拡大や重量増加を抑えながらクロスメンバ５３の耐荷重を高められる。
【００６６】
次に、クロスメンバを長円断面のパイプとした場合でも、リヤサスペンションの軸線Ａと平行にクロスメンバの短径軸が向くようにクロスメンバ５３を配置すると、リヤサスペンション６１から受ける耐荷重を必ずしも十分に高めることができないことを説明する。
【００６７】
図８（ｃ）に示すように、クロスメンバの短径軸１２１が、リヤサスペンションの軸線Ａと平行に配置されると、クロスメンバの短径軸１２１に非平行に配置される場合に比べ、リヤサスペンション６１から受けることができる耐荷重は小さくなる。
【００６８】
図８（ａ）にて、本発明では、クロスメンバの短径軸１２１は、リヤサスペンション６１の軸線Ａと非平行に配置されるので、クロスメンバ５３の短径軸１２１が、リヤサスペンション６１の軸線Ａと平行に配置される場合に比べ、耐荷重を高めることができる。
【００６９】
図５を併せて参照し、リヤサスペンション６１が収縮したときにおけるリヤサスペンション６１の軸線Ａは、長円形のパイプ上を通っている。
本発明の構造では、クロスメンバ５３の中心５３Ｃとリヤサスペンションの軸線Ａとの間は、距離δだけ離間している。このため、クロスメンバ５３の中心５３Ｃ周りに、捩りモーメントが掛かる。仮に、リヤサスペンションの軸線Ａが、クロスメンバ５３の中心５３Ｃから離れ、されに、長円形のパイプ上から外れるに伴って、ブラケット１１４の長さが長くなり、ブラケット１１４にはより大きなモーメントが掛かり易くなる。
【００７０】
本発明では、リヤサスペンションの軸線Ａは、長円形のパイプ上を通っているので、ブラケット１１４を短くでき、ブラケット１１４にかかるモーメントを小さくできる。加えて、ブラケット１１４を軽量化できる。なお、リヤサスペンションの軸線Ａがパイプ内を通っていても良く、その場合には、上記と同様な作用効果を奏する。
【００７１】
また、クロスメンバの長径軸１２２が略水平になる向きになるように、クロスメンバ５３が配置されている。
スイングアームとリヤサスペンションの間にリンク機構を備えていないタイプの鞍乗り型車両では、リヤサスペンションのストロークを稼ぐために、クロスメンバの高さは小さく抑えたいところである。
【００７２】
本発明では、クロスメンバ５３の長径軸１２２が略水平になる向きになるように、クロスメンバ５３が配置されるため、リヤサスペンション６１のストロークを稼ぎながら、クロスメンバ５３の高さを小さくすることができる。
【００７３】
図２を併せて参照し、クロスメンバ５３は、その長径軸が略水平になる向きに配置される上に、クロスメンバの下方に延びるようにサスペンション支持部（ブラケット１１４）が配置される。長径軸１２２が略水平方向に延びるようにクロスメンバ５３を配置したので、吸気通路１０５がクロスメンバ５３の上方に配置される場合であっても、吸気通路１０５が上方に突出する量を小さく抑えられる。結果、車両の高さを低く抑えることができる。
【００７４】
次に、別実施例に係るクロスメンバの構造等を説明する。
図９に示すように、クロスメンバを非円形の断面長円パイプとし、クロスメンバの長径軸をリヤサスペンションの軸線に沿わせるようにクロスメンバを配置する。詳細には、車両が静止状態にあるときに、クロスメンバ５３の長径軸１２２とリヤサスペンション６１の軸線Ａとが平行になるようにクロスメンバ５３を配置した。
【００７５】
リヤサスペンション６１が収縮したとき又は伸びたときにおいて、クロスメンバ５３の長径軸１２２とリヤサスペンション６１の軸線Ａとが平行ではなくなる。しかし、クロスメンバ５３の長径軸１２２とリヤサスペンション６１の軸線Ａとのなす角度θは、大きくても±１０°以内にある。従って、クロスメンバ５３の長径軸１２２に沿って、リヤサスペンション６１の軸線Ａが位置するように、クロスメンバ５３が左右のガセット部材５２Ｌ、５２Ｒに配置され渡されている。加えて、リヤサスペンション６１の軸線Ａは、長円形のパイプ上又はパイプ内を通るように配置されている。
【００７６】
次に、シートレールに曲部を形成する場合について説明する。
図１０（ａ）は比較例に係るシートレールを含む車体フレーム後部の側面図であり、図１０（ｂ）は実施例１に係る曲部を有するシートレールを含む車体フレーム後部の側面図であり、図１０（ｃ）は実施例２に係る曲部を有するシートレールを含む車体フレーム後部の側面図である。以下の説明では、車幅方向右側のシートレールの作用について説明したが、車幅方向左側のシートレールの作用も同様なものであり、説明を省略する。
【００７７】
図１０（ａ）の比較例に示すように、メインフレーム４３Ｒに溶接されるガセット部材５２Ｒから後方へ伸びるシートレール４４ＡＲは、曲部がなく略直線状に延びている。
図１０（ｂ）の実施例１に示すように、シートレール４４ＢＲは、上に曲がる第１曲部９１ＢＲを有する。高さ方向上に曲がる第１曲部９１ＢＲを有するシートレール４４ＢＲは、第１曲部９１ＢＲで曲り易い構造になる。具体的には、リヤサスペンション６１（図９参照）の入力がクロスメンバ５３とガセット部材５２Ｒを介してシートレール４４ＢＲに伝達されたときに、第１曲部を設けない場合に比べ、シートレール４４ＢＲは、上下に撓み易くなる。結果、後輪の揺動をシートレール４４ＢＲでも吸収させることが可能になる。
【００７８】
図１０（ｃ）の実施例２に示すように、上向きに曲がる第１曲部９１ＣＲに加え、この第１曲部９１ＣＲと異なる下向きに曲がる第２曲部９２ＣＲを、第１曲部９１ＣＲの車両後方にてシートレール４４ＣＲに形成した。第１曲部９１ＣＲに加えて設けた第２曲部９２ＣＲによって、リヤサスペンション６１の入力がシートレール４４ＣＲに伝達されたときに、シートレール４４ＣＲは、上下にさらに撓み易くなる。結果、リヤサスペンション６１からの振動をシートレール４４ＣＲで一層吸収させることが可能になる。
【００７９】
次に、車体フレームに設けられるエンジン懸架部について説明する。
図１１（ａ）は、実施例に係るエンジンのマウント構造を説明する図であり、図１１（ｂ）は、比較例に係るエンジンのマウント構造を説明する図である。
【００８０】
図１１（ａ）の実施例に示すように、エンジン１７は、クランクケース７１の前上部がダウンフレーム４６の下端４６ｂに取付けられ、クランクケース７１の後上部及び後下部がピボット部３１に付設したエンジンステーを介してピボット部３１へ取付けられる。しかし、エンジン１７は、メインフレーム４３に取付けられていない。
【００８１】
図１１（ｂ）の比較例に示すように、エンジン１７は、クランクケース７１の前上部がダウンフレーム４６の下端４６ｂに取付けられ、クランクケース７１の後上部及び後下部がピボット部３１に付設した第１エンジンステー１３１及び第２エンジンステー１３２を介してピボット部３１へ取付けられると共に、メインフレーム４３に付設した第３エンジンステー１３３に取付けられる。
【００８２】
図１１（ａ）において、エンジンがメインフレームに取付けられていない（懸架されていない）場合には、メインフレーム４３にエンジン１７の振動が伝わり難くなる。また、メインフレーム４３にかかる荷重を減らすことができる。さらに、メインフレーム４３に、エンジンステーを付設する必要はないため、車体フレーム１１を簡素化することができる。
【００８３】
尚、本発明は、実施の形態では鞍乗り型自動二輪車に適用したが、鞍乗り型三輪車にも適用可能であり、一般の鞍乗り型車両に適用することは差し支えない。
【産業上の利用可能性】
【００８４】
本発明は、自動二輪車に好適である。
【符号の説明】
【００８５】
１０…鞍乗り型車両（自動二輪車）、１１…車体フレーム、１７…エンジン、１９…シート、２１…ヘッドパイプ、３１Ｒ…左右のピボット部、３３…スイングアーム、３４…リヤサスペンション（リヤサスペンションユニット）、４３Ｌ、４３Ｒ…左右のメインフレーム、４４Ｌ、４４Ｒ…左右のシートレール、４６Ｌ、４６Ｒ…左右のダウンフレーム、５１Ｌ、５１Ｒ…左右の屈曲部、５２Ｌ、５２Ｒ…左右のガセット部材、５３…クロスメンバ、９１Ｌ、９１Ｒ…左右の第１曲部、９２Ｌ、９２Ｒ…左右の第２曲部、９４…シート受部、１２３Ｌ、１２３Ｒ…左右の非溶接部、１２４Ｌ、１２４Ｒ…左右の溶接部。
【図１】
2014162425.tif 000003
【図２】
2014162425.tif 000004
【図３】
2014162425.tif 000005
【図４】
2014162425.tif 000006
【図５】
2014162425.tif 000007
【図６】
2014162425.tif 000008
【図７】
2014162425.tif 000009
【図８】
2014162425.tif 000010
【図９】
2014162425.tif 000011
【図１０】
2014162425.tif 000012
【図１１】
2014162425.tif 000013